(57)【要約】【課題】搬送ベルト上で不規則な位置にある物品を排除して再度の供給のために回収し、所定間隔に並んだ物品を後工程に供給する。【解決手段】供給装置１のベルトコンベア７は搬送方向に向けて上昇する角度で設置される。搬送ベルト１１の搬送面には隙間を有する一組二枚の板体からなる係止部１３が所定間隔で複数設けられ、ベルトには振動手段２０が下側から振動を与える。コンベアの両側にはベルトと平行な回収手段１５があり、コンベアの上流側のホッパ１６に連通する。被搬送物Ｗはホッパからベルトの係止部に載って上方に送られる。２個乗りの被搬送物はベルトの振動で落下し、回収手段を滑ってホッパに戻る。各係止部に載った被搬送物は所定間隔で後工程に搬送される。【選択図】図５
2015006956.tif 000002
【特許請求の範囲】
【請求項１】
循環して駆動される搬送ベルト（１１）と、搬送方向に沿って前記搬送ベルトに所定間隔で設けられて被搬送物（Ｗ）が係止する複数の係止部（１３）とを備え、搬送方向に向けて被搬送物が上昇するような傾斜角度で設置された搬送手段（７）と、
前記搬送手段から落下した被搬送物を受け入れて下方に案内する回収手段（１５）と、を備えた供給装置（１，５０）において、
前記係止部は、隙間を有する一組二枚の板体が、前記搬送ベルトの搬送方向に沿って複数配置されてなることを特徴とする供給装置（１，５０）。
【請求項２】
前記係止部（１３）の前記板体は、所定の角度を以て下流側に向けてハの字状に開いた状態に配置されていることを特徴とする請求項１記載の供給装置（１，５０）。
【発明の詳細な説明】
【技術分野】
【０００１】
本発明は、物品を所定の間隔に並べて後段の工程に供給することができる供給装置に係り、特に、供給された多数の物品を搬送手段で搬送しながら、搬送手段上で所定の間隔に並んだ物品だけを後段に送り、それ以外の物品は搬送手段から排除して次回の供給のために回収することができるため、物品の定間隔供給を効率的かつ安定して行うことができる供給装置に関するものである。
【背景技術】
【０００２】
下記特許文献１には、人参、大根、その他の長物作物を自動的に計量して選別する作物選別装置に用いる作物の選別搬送装置に関する発明が開示されている。この選別搬送装置は、搬送面に一定間隔で搬送突起が取付けられ、これら搬送突起間に長物作物搬送空間が形成された順送り搬送コンベアを備えている。この搬送コンベアの一端は作物供給部の投入口の下方に配置され、また同搬送コンベアの他端は、一定の勾配で傾斜させながら上方に伸延され、計量選別装置の選別装置供給部に接続されている。そしてこの搬送コンベアの上方伸延部は、コンベア軸線周りにねじり又は回転されており、その搬送面は上方向に傾斜するだけでなく、左右方向にも傾斜している。従って、この搬送コンベア上で長物作物が上下方向に重なった場合でも、上に載っている長物作物は搬送中に自重で左右方向に落下するので、長物作物を一個づつ確実に計量選別装置に移送することができるものとされている。
【先行技術文献】
【特許文献】
【０００３】
【特許文献１】特開平８−２８２８２５号公報
【発明の概要】
【発明が解決しようとする課題】
【０００４】
前記特許文献１に開示された選別搬送装置の発明によれば、搬送ベルト上に所定間隔で設けた突起と突起の間に長体状の被搬送物を保持し、後工程に向けて搬送しているが、搬送ベルト上に被搬送物が多数個が載っている場合に余分な被搬送物を落とすとともに、突起間で保持している被搬送物を所定位置に揃えるため、この搬送ベルトは上方に向けて傾斜しているだけでなく、側方にねじれるように傾斜している。このため、特に搬送対象としているような根菜類のような円柱状の被搬送物の場合には、上に重なったものだけでなく所定位置に保持されているものも落ちてしまったり、又は条件によっては全く両者とも落下しない等、必要なものだけ残して余分なものは落下させるという当初の目的の達成は必ずしも確実ではないという問題があった。
【０００５】
本発明は、以上の課題に鑑みてなされたものであり、供給された多数の物品を搬送手段で搬送しながら、不安定な搬送状態にある物品だけを搬送手段から排除して再度の供給のために回収し、所定の間隔に並んだ物品だけを搬送手段上に残して後段に送ることにより、効率的かつ安定的な物品の定間隔供給ができる供給装置を提供することを目的としている。
【課題を解決するための手段】
【０００６】
請求項１に記載された供給装置１，５０は、
循環して駆動される搬送ベルト１１と、搬送方向に沿って前記搬送ベルト１１に所定間隔で設けられて被搬送物Ｗが係止する複数の係止部１３とを備え、搬送方向に向けて被搬送物Ｗが上昇するような傾斜角度で設置された搬送手段７と、
前記搬送手段７から落下した被搬送物Ｗを受け入れて下方に案内する回収手段１５と、を備えた供給装置１，５０において、
前記係止部１３は、隙間を有する一組二枚の板体が、前記搬送ベルト１１の搬送方向に沿って複数配置されてなることを特徴としている。
【０００７】
請求項２に記載された供給装置１，５０は、請求項１記載の供給装置において、
前記係止部１３の前記板体は、所定の角度を以て下流側に向けてハの字状に開いた状態に配置されていることを特徴としている。
【発明の効果】
【０００８】
請求項１に記載された供給装置によれば、傾斜した搬送手段の底部である上流において、多数の被搬送物が搬送ベルト上にまとめて供給される。上昇方向に移動していく搬送ベルトの上では、積み込まれた多数の被搬送物が互いに重なり合った不規則な状態にあるが、上方に向けて搬送されていく中で、搬送ベルトの各係止部及びその近傍には、１個又は２個以上の被搬送物が係止され又は留められた状態となる。この搬送中に、搬送ベルトの係止部に１個だけで安定して係止されている被搬送物は落下しないが、係止部に２個以上が存在する場合は、当該係止部に安定して係止されている１個の被搬送物だけを残して、これ以外の不安定な搬送状態にある被搬送物は係止部乃至その近傍から外れ、搬送ベルトから回収手段に落下する。落下した被搬送物は下方に滑り落ち、被搬送物が供給される搬送手段の上流に戻る。一方、不安定な被搬送物が落下した搬送ベルトでは、各係止部に１個ずつ安定して係止された被搬送物以外には被搬送物は存在せず、被搬送物は搬送方向に所定間隔で並んだ状態になっている。従って、これら被搬送物は係止部の間隔を保ちつつ整然と搬送され、その一定間隔で後段の工程に順に供給されていく。
【０００９】
請求項２に記載された供給装置によれば、搬送ベルト１１は、無端状の平ベルトの搬送面に、搬送方向に沿って所定間隔で複数の係止部１３が突出して設けられた構造となっている。一組二枚の係止部１３，１３は、互いに所定間隔を置き、かつ所定の角度（実施形態では例えば１２０度）を以て下流側（高い側）に向けてハの字状に開いた状態に配置されている。このように、一組二枚の係止部１３，１３の間には隙間があるので、水分や破片等を生じやすい被搬送物Ｗを搬送する際には、この隙間から水分や破片等が下方に落ちるので好都合である。
【図面の簡単な説明】
【００１０】
【図１】第１実施形態の供給装置の正面図である。
【図２】第１実施形態の供給装置の平面図である。
【図３】図２のＡ−Ａ切断線における断面図である。
【図４】第１実施形態の供給装置の要部斜視図である。
【図５】第１実施形態の供給装置における搬送手段の図であって、（ａ）は平面図、（ｂ）は側面図、（ｃ）は正面図である。
【図６】第１実施形態の供給装置における振動手段の構造及び作用を説明するための正面図である。
【図７】第２実施形態の供給装置の正面図である。
【図８】第２実施形態の供給装置の平面図である。
【図９】図８のＢ−Ｂ切断線における断面図である。
【発明を実施するための形態】
【００１１】
本発明の第１実施形態を図１〜図６を参照して説明する。
まず、この供給装置１の構成を説明する。
第１実施形態の供給装置１は、具体的な一例を挙げれば、ホタテ貝の貝柱の冷凍品の選別ラインに設置される。このラインでは、この供給装置１によって被搬送物Ｗを所定間隔おいた１列の状態にして運び、図１及び図２に示すように後段の重量測定装置２で１個ずつ重量を測定する。さらに重量測定装置２での測定結果を元にして、詳細は図示しないが、さらに後段の重量選別装置３で重量別に選別して複数の等級（サイズ）に分類する。このように重量に基づいて製品を複数の等級（サイズ）に分類する必要上、重量測定装置２には製品を１個ずつ所定間隔で搬入して正確に重量測定する必要があり、２個以上が同時に送り込まれることは避けねばならない。本実施形態の供給装置１は、このような選別ラインにおける必要から、被搬送物Ｗを後段の装置に所定間隔で１個ずつ供給することために設けられたものである。
【００１２】
この供給装置１による被搬送物Ｗであるホタテ貝柱の冷凍品（以下、単に被搬送物Ｗと呼ぶ）は、直径に比して高さの小さい円柱状又は半球状又はドーム状のような概ね丸い外形の固体状の塊体であり、その底面は比較的平らで載置面に安定して接することができるようなものである。
【００１３】
図１及び図４に示すように、本実施形態の供給装置１は、後述する搬送手段を設置して後段の装置につなげるための基台４を有している。基台４は、下フレーム部５と、被搬送物Ｗの搬送方向について下フレーム部５の下流側の端部に設けられた架台部６とから構成されている。架台部６の高さは、後段の重量測定装置２の導入コンベア２ａに被搬送物Ｗを送り込むのに適した高さに設定されている。
【００１４】
図１乃至図４に示すように、基台４の上には搬送手段としてのベルトコンベア７が設置されている。このベルトコンベア７の下流側の端部（高さの面では最高部）は、基台４の架台部６の上に取り付けられており、搬送された被搬送物Ｗが隣接する重量測定装置２の導入コンベア２ａに乗り移れるようになっている。このベルトコンベア７の上流側の端部（高さの面では最低部）は、基台４の下フレーム部５の上方において、架台部６上の下流側よりも低い位置に配置され、下フレーム部５に対して支持部材８で連結されて位置固定されている。従って、ベルトコンベア７は、搬送方向に向けて被搬送物Ｗが上昇するような傾斜角度で設置されている。ベルトコンベア７を支える支持部材８は、ベルトコンベア７に対して上端部が回動可能に連結されており、下端部が下フレーム部５の数カ所に設けられた固定部の一箇所に着脱可能に固定されている。従って、ベルトコンベア７を支えた状態で支持部材８の下端部を下フレーム部５から外し、ベルトコンベア７の傾斜角度を変更し、ベルトコンベア７の姿勢を保持しながら支持部材８の下端部を下フレーム部５の他の適当な固定部に固定すれば、ベルトコンベア７の傾斜角度を任意に設定・変更することができる。
【００１５】
図１乃至図４に示すように、ベルトコンベア７は、その上流側の端部に設けられた従動プーリ９と、下流側の端部に設けられた駆動プーリ１０との間に、無端の搬送ベルト１１を掛け回してなる搬送手段であるが、基台４の架台部６に設けられた駆動モータ１２によって駆動プーリ１０を駆動することにより、搬送ベルト１１が下流に向けて登っていくように運転される。また、詳細は図示しないが、架台部６の上にあるベルトコンベア７の下流側の端部には、搬送ベルト１１の張力を調整するテンション機構が設けられており、搬送ベルト１１の張力を調整することができるようになっている。
【００１６】
図４及び図５に示すように、ベルトコンベア７の搬送ベルト１１は、無端状の平ベルトの搬送面に、搬送方向に沿って所定間隔で複数の係止部１３が突出して設けられた構造となっている。係止部１３は、搬送ベルト１１の搬送面から垂直方向に立ち上がった矩形状の板体であって二枚一組で構成される。一組二枚の係止部１３，１３は、互いに所定間隔を置き、かつ所定の角度（本実施形態では例えば１２０度）を以て下流側（高い側）に向けてハの字状に開いた状態に配置されている。このように、一組二枚の係止部１３，１３の間には隙間があるので、水分や破片等を生じやすい被搬送物Ｗを搬送する際には、この隙間から水分や破片等が下方に落ちるので好都合である。
【００１７】
なお、この係止部１３の構造は本実施形態における被搬送物Ｗの外形に合わせたものであり、係止部１３の形状、個数、配置等は上述したものに限定する必要はなく、被搬送物Ｗの外形に合わせて１個だけを安定して保持することで定間隔搬送を可能とし、２個載りした場合には、係止部１３に安定して載ったもの以外は支持が不安定で落下しやすくなるような構造であればよい。
【００１８】
従って、図５中に想像線で示すように、被搬送物Ｗは、傾斜した搬送ベルト１１上で上方に向けて開いた一対の係止部１３，１３の間に受け止められ、安定して保持される。係止部１３の寸法は、被搬送物Ｗの標準的な外径に応じて適当に設定されており、一箇所の係止部１３，１３に一個の被搬送物Ｗは安定して支持できるが、二個以上の被搬送物Ｗは一箇所の係止部１３，１３に安定して載ることができないようになっている。すなわち、図５中に想像線で示した被搬送物Ｗを見れば分かるように、一箇所の係止部１３，１３に一個の被搬送物Ｗが載った場合は、この被搬送物Ｗは外周面の二箇所で二枚の係止部１３，１３にそれぞれ接して安定するが、二個以上の被搬送物Ｗが一箇所の係止部１３，１３に載った場合は、一方の被搬送物Ｗは係止部１３に安定して支持されるが、他方の被搬送物Ｗは係止部１３による支持が不十分であり、大抵は係止部１３に安定して支持された一方の被搬送物Ｗに不安定な状態で載った状態となる。従って、この状態で搬送ベルト１１が振動すると、不安定な被搬送物Ｗは係止部１３から外れて搬送ベルト１１の傾斜に従って落下することになる。
【００１９】
図２及び図４に示すように、ベルトコンベア７の搬送方向と直交する幅方向について、ベルトコンベア７を挟む両側の位置には、被搬送物Ｗの回収手段１５が設けられている。この回収手段１５は、ベルトコンベア７の上記両側位置において、搬送方向に沿ってベルトコンベア７に接して設けられた長手トレイ状の案内部材であり、ベルトコンベア７と同じ傾斜角度を有し、その案内面は搬送ベルト１１の搬送面よりも下方に設定されている。
【００２０】
図１乃至図４に示すように、ベルトコンベア７の上流側の端部（高さの面では最低部）には、ベルトコンベア７と回収手段１５を囲むようにして、被搬送物Ｗの容器部であるホッパ１６が設けられている。図３に示すようにホッパ１６は一対の回収手段１５，１５と幅が略同一であり、回収手段１５，１５を挟んで対向する搬送方向と平行な逆三角形状の２面の側壁部１６ａと、２面の側壁部１６ａの上流側を連結する上縁が外方に傾斜した矩形状の後壁部１６ｂとを有しており、上面及び下面が開口とされた全体として三角柱状の中空筐体である。従ってホッパ１６は、下方にある搬送ベルト１１に向けて内部が狭くなる形態となっており、上部の開口１６ｃから投入された被搬送物Ｗは順次下方に移動して循環する搬送ベルト１１に供給され、ホッパ１６外に搬出されるようになっている。またホッパ１６には回収手段１５の案内面が連続しているため、案内面を滑り落ちてきた被搬送物Ｗはホッパ１６に戻って再びベルトコンベア７に供給されることになる。
【００２１】
図１及び図２に示すように、ベルトコンベア７には、搬送ベルト１１上の不安定な被搬送物Ｗを係止部１３から落とすために搬送ベルト１１を振動させる振動手段２０が設けられている。本実施形態の振動手段２０は複数個（本実施形態では３個）であり、搬送方向に沿って適宜の間隔をおいて設けられている。これら振動手段２０は、上下の搬送ベルト１１の間を通って左右の回収手段１５の間に渡設された回動軸２１と、この回動軸２１の中央に設けられた振動部材２２と、回収手段１５のフレームに取り付けられて駆動軸が回動軸２１に連動連結された振動モータ２３とを有している。
【００２２】
図６に拡大して示すように、回動軸２１は、ベルトコンベア７の搬送ベルト１１の幅方向に対して平行である。また、この回動軸２１に取りつけられた振動部材２２は、回動軸２１と平行な視線で見た場合の形状が略正方形状であり、その角は面取り又は曲面加工されている。振動部材２２は、被搬送物Ｗが載る上側の搬送ベルト１１の下面に接するように配置されている。従って、振動モータ２３が駆動されると、振動部材２２が回転して搬送ベルト１１を周期的に上下動させて振動を発生させ、搬送ベルト１１上の被搬送物Ｗに振動を与える。これによって、搬送ベルト１１上で係止部１３に安定して係止されていない不安定な被搬送物Ｗは係止部１３から外れ、搬送ベルト１１から回収手段１５の案内面に落下する。なお、振動部材２２の形状は、上述したような略正方形状に限らず、角が丸い三角形状、楕円形状、又は回動軸２１に偏芯して取り付けられた円形等でもよく、このような外形・構造の異なる振動部材２２に変更することにより、搬送ベルト１１に与える振動を任意に変更することができる。
【００２３】
次に、以上説明した供給装置１による被搬送物Ｗの搬送作用について説明する。
供給装置１のベルトコンベア７において、上流側の低い部分に設けられたホッパ１６の開口１６ｃから、ホッパ１６の容積を限度として所望の量の被搬送物Ｗを供給する。これにより、後工程の重量測定装置２等に供するのに十分な又は必要な量の被搬送物Ｗをホッパ１６内にストックした状態で後段への供給作業を開始することができる。
【００２４】
ホッパ１６の底部では、積み込まれた多数の被搬送物Ｗが互いに重なり合った不規則な状態にあるが、搬送ベルト１１が上昇方向に移動していく中で、図４及び図５に示すように、搬送ベルト１１の各係止部１３及びその近傍には１個又は２個以上の被搬送物Ｗが係止され又は引っ掛かった状態となる。これらの被搬送物Ｗはホッパ１６の外に運び出されて、後段の重量測定装置２に向けて上昇しながら搬送されていく。
【００２５】
この搬送中、図６に示すように、被搬送物Ｗを載せて上昇している搬送ベルト１１は、振動モータ２３で回転する振動部材２２によってその下面側から直接振動が与えられる。振動を受けると、図４に示すように、搬送ベルト１１の係止部１３に１個だけで安定して係止されている被搬送物Ｗは落下しないが、係止部１３に２個以上が存在する場合には、当該係止部１３に安定して係止されている１個の被搬送物Ｗだけが残り、これ以外の不安定な被搬送物Ｗは振動によって係止部１３乃至その近傍から外れ、搬送ベルト１１から回収手段１５の案内面に落下する。落下した被搬送物Ｗは回収手段１５に沿って下方に滑り落ち、ホッパ１６内に戻る。
【００２６】
このように、係止部１３から外れた不安定な被搬送物Ｗは、搬送面から直ちに回収手段１５の案内面に落ちて回収されるので、搬送ベルト１１の上を滑落して係止部１３に安定して係止された上流（下方）の被搬送物Ｗに衝突してこれを落下させてしまうことがない。そして、不安定な被搬送物Ｗが落下した搬送ベルト１１の上部では、各係止部１３に被搬送物Ｗが１個ずつ係止され、被搬送物Ｗが搬送方向に所定間隔で並んだ状態になっている。これら被搬送物Ｗは所定間隔で後段の工程に順次供給されていく。
【００２７】
従って、後段の重量測定装置２では、供給装置１から所定間隔で送り込まれてくる被搬送物Ｗを、その間隔に合わせた所定のタイミングで次々と能率的に測定していくことができ、無駄な待ち時間や、２個以上の被搬送物Ｗが同時に搬入されたり、区別が困難な間隔で搬入されることがなく、安定した正確な測定を行なうことができる。従って、さらに後段の重量選別装置３における振り分け作業の能率も向上し、ライン全体の生産性を高めることができる。
【００２８】
また、この供給装置１によれば、設置場所の広狭や、被搬送物Ｗの供給対象である後段装置等の構造等に応じて、ベルトコンベア７の傾斜角度を自在に調整することができる。例えば、図１に示すように傾斜が緩い状態では、ベルトコンベア７の端部は下フレーム部５の外形に近接し、又はやや外に突出した状態にある。しかし、工場内におけるラインの設置面積による制約や、他の機器等との干渉を避ける必要がある場合には、ベルトコンベア７の傾斜角度がより急になるように支持部材８の取り付け位置を変更し、ベルトコンベア７の端部を下フレーム部５の設置範囲内に収まるようにすればよい。また、後段装置が被搬送物Ｗを受け入れる高さに変更があった場合は、やはり支持部材８の取り付け位置を変えてベルトコンベア７の傾斜角度を変更し、ベルトコンベア７の下流側の端部の高さを後段装置に合わせればよい。このように、本実施形態の供給装置１によれば、被搬送物Ｗに係る生産ライン等を構成する際の自由度が高い。
【００２９】
また、本実施形態の供給装置１によれば、設定したベルトコンベア７の傾斜角度に応じて、振動部材２２が搬送ベルト１１に与える振動の状態を変更するようにしてもよい。例えば、ベルトコンベア７の傾斜角度が相対的に大きければ、相対的に小さい場合に比べて被搬送物Ｗは係止部１３から外れやすいので、振動は相対的に小さくてよい。また、ベルトコンベア７の傾斜角度が相対的に小さければ、相対的に大きい場合に比べて被搬送物Ｗは係止部１３から外れにくいので、振動は相対的に大きくする必要がある。
【００３０】
このような制御は、ベルトコンベア７の傾斜角度を変更するたびに、図示しない本装置の操作パネルを操作し、振動モータ２３の駆動条件を変更することによって行なうことができる。又は、ベルトコンベア７の傾斜角度を検出する角度センサを設けておき、この角度センサからの出力を用い、図示しない本装置の制御部によって振動モータ２３の駆動条件を自動的に変更するようにしてもよい。その場合には、支持部材８の着脱やベルトコンベア７の傾斜角度の設定を作業員の手作業で行なうのではなく、操作パネルからの指示でアクチュエータによってベルトコンベア７の傾斜角度を自動的に変更できるようにしておき、傾斜角度の変更に合わせて振動モータ２３の駆動条件も上述したように自動的に変更すればよい。なお、振動モータ２３の駆動条件を変えることにより搬送ベルト１１の振動状態を変更する例としては、例えば振動モータ２３の回転数を高めることによって振動の周期を短くし、より強い振動を搬送ベルト１１に発生させることや、逆に、振動モータ２３の回転数を低下させることによって振動の周期を長くし、搬送ベルト１１に発生する振動を弱めることが挙げられる。
【００３１】
また、ベルトコンベア７の傾斜角度に応じて、振動部材２２が搬送ベルト１１に与える振動の状態を変更するために、振動モータ２３の駆動条件は変えずに、振動部材２２を別のものに取り替えることとしてもよい。比較的円形に近い凹凸の少ない振動部材２２によれば、搬送ベルト１１に与える振動の振幅は比較的小さいが、回動軸２１から測定した振動部材２２の外周までの距離の最大差がこれより大きく、比較的いびつな凹凸の大きい振動部材２２によれば、搬送ベルト１１に与える振動の振幅はより大きくなり、搬送ベルト１１上の被搬送物Ｗにより大きな振動を与えることができる。
【００３２】
本実施形態の供給装置１による被搬送物Ｗとしては、前述したような形状のホタテ貝柱の冷凍品を例示したが、その他、例えば円柱状に加工した冷凍すり身製品を円盤状にカットした食品や、これらと同等の形状の物品等も対象とすることができる。本実施形態の供給装置１の対象となる被搬送品の一般的な外形としては、直径に比して高さの小さい円柱状又は半球状又はドーム状のような概ね丸い外形の固体状の塊体、又はこれに準ずるような比較的角の少ない箱型の固体状の塊体等を挙げることができ、さらに、その底面は比較的平らで載置面に安定して接することができるようなものが適している。棒のような長体状の物体や、板状の物体、粉体、粘性物等は本実施形態の供給装置１の対象からは除かれる。
【００３３】
本実施形態の供給装置１では、係止部１３の構造・寸法を被搬送物Ｗの標準的な外形に応じて適当に設定し、一箇所の係止部１３には一個の被搬送物Ｗが安定して支持されるが、二個以上の被搬送物Ｗは一箇所の係止部１３に安定して載ることができず、搬送ベルト１１の振動によって不安定な被搬送物Ｗだけを落下させるようにしていた。しかしながら、このような被搬送物Ｗの落下のし易さは、被搬送物Ｗの形状や係止部１３の形状だけでなく、ベルトコンベア７の傾斜角度、振動部材２２が搬送ベルト１１に与える振動の振幅や周期等によって変わりうるものである。そこで、上述した形状に関する条件を満たす特定の被搬送物Ｗが新規に与えられた場合には、２個載りした当該被搬送物Ｗの一方を落下させ、被搬送物Ｗを確実に１個ずつ定間隔搬送して後段に送り込むため、ベルトコンベア７の傾斜角度や係止部１３の形状を被搬送物Ｗの形状に合わせて新たに設定し直すようにしてもよい。また、これらの条件を変更することが容易でないとすれば、その代わりに振動モータ２３の駆動条件を変更したり、振動部材２２を交換することで対応してもよい。すなわち、実際に被搬送物Ｗに与える振動の振幅や周期等を変えることにより、搬送しようとする物品に最も好ましい振動を与え、最も好ましい状態で不安定な被搬送物Ｗのみを落下させるように設定することもできる。
【００３４】
次に、本発明の第２実施形態を図７〜図９を参照して説明する。
第２実施形態の供給装置１は、第１実施形態の供給装置１と基本的な構成が同じであるため、第１実施形態と機能上、実質的に同等である部分には第１実施形態における部品の符号と同一の符号を付して第１実施形態の説明を援用する。以下、構成上、異なる部分のみを説明するものとする。
【００３５】
図７〜図９に示すように、第２実施形態の供給装置５０は、振動手段２０の数が２個であり、３個であった第１実施形態よりも一つ少ない。第１実施形態で最も低い位置にあった振動手段２０の配置場所に重なるように、ベルトコンベア７の上流側の端部（高さの面では最低部）には、ベルトコンベア７と回収手段１５を囲むようにして、第１実施形態のホッパ１６よりも大型のホッパ２６が設けられている。
【００３６】
このホッパ２６は、図９に示すように一対の回収手段１５，１５よりも幅が大きく、図８に示すように回収手段１５及びベルトコンベア７よりも後方外側に張り出した容量の大きな容器である。このホッパ２６は、全体として矩形箱型の中空筐体であり、内壁面及び底面が中央に向いた傾斜面になっており、中央下方にある搬送ベルト１１に向けて内部が狭くなる形態となっている。従って、上部の開口２６ｃから投入された被搬送物Ｗは順次下方に移動して循環する搬送ベルト１１に供給され、ホッパ２６外に搬出される。このホッパ２６の内部に回収手段１５の案内面が連続している点は第１実施形態と同様である。このホッパ２６によれば、第１実施形態よりも多くの被搬送物Ｗを蓄えることができる。その他の作用効果については第１実施形態と同様である。
【００３７】
以上説明した各実施形態では、供給装置１，５０の目的は後段にある重量測定装置２や重量選別装置３へ冷凍食品を搬送することであったが、もちろん搬送する物品は食品以外の物品でもよく、その種類に限定はない。また物品を供給する目的や物品が送り込まれる後段の装置や機器等の種類にも限定はない。
【符号の説明】
【００３８】
１，５０…供給装置
７…搬送手段としてのベルトコンベア
８…支持部材
１１…搬送ベルト
１２…駆動モータ
１３…係止部
１５…回収手段
１６，２６…容器部としてのホッパ
２０…振動手段
２２…振動部材
２３…振動モータ
Ｗ…被搬送物
【図１】
2015006956.tif 000003
【図２】
2015006956.tif 000004
【図３】
2015006956.tif 000005
【図４】
2015006956.tif 000006
【図５】
2015006956.tif 000007
【図６】
2015006956.tif 000008
【図７】
2015006956.tif 000009
【図８】
2015006956.tif 000010
【図９】
2015006956.tif 000011